(57)【要約】  【課題】  ベースバンドユニット２が高負荷のときだけクロック信号周波数を高くして高負荷処理を行い、高負荷を迅速に解消させる携帯型通信装置を提供する。  【解決手段】  送受信ユニット１とベースバンドユニット２を有し、ベースバンドユニット２に負荷検出部１８とトラップ指令発生部１９と分周比可変型のファームウエア回路からなる可変分周器１４を有し、負荷検出部１８が高負荷状態を検出しないとき、可変分周器１４が定常分周比に設定されてＰＬＬ２０から通常周波数のクロック信号が出力され、負荷検出部１８が高負荷状態を検出したとき、トラップ指令によって定常分周比よりも大きい分周比に設定されてＰＬＬ２０から通常周波数より高周波数のクロック信号が出力され、負荷状態に応じて周波数の異なるクロック信号で制御駆動される。  【選択図】  図１
2005184648.tif 000002
【特許請求の範囲】
【請求項１】
無線信号を送受信する送受信ユニットと、ベースバンドデータを処理するベースバンドユニットと、各種の駆動制御部材とからなり、前記ベースバンドユニットは、クロック信号を発生するＰＬＬと、前記各種の駆動制御部材を前記クロック信号に基づいて制御する制御部と、ベースバンドユニットの高負荷状態を検出する負荷検出部と、前記負荷検出部が高負荷状態を検出したときにトラップ指令を発生するトラップ指令発生部とを備え、前記ＰＬＬ内にクロック信号を分周して分周クロック信号を形成するファームウエア回路で構成された可変分周器を有し、前記可変分周器は、ファームウエア回路の切替によって２つの分周比に設定されるもので、前記負荷検出部が高負荷状態を検出しないとき、前記制御部の制御信号により定常分周比に設定されて前記ＰＬＬから通常周波数のクロック信号が出力され、一方、前記負荷検出部が高負荷状態を検出したとき、前記制御部の制御により前記トラップ指令発生部から出力されたトラップ指令により定常分周比よりも大きい分周比に設定されて前記ＰＬＬから通常周波数より高周波数のクロック信号が出力されることを特徴とする携帯型通信装置。
【請求項２】
前記ベースバンドユニットが高負荷状態になるときは、携帯型通信装置への電源投入時であることを特徴とする請求項１に記載の携帯型通信装置。
【請求項３】
前記ベースバンドユニットが高負荷状態になるときは、前記ベースバンドユニットに装填したアプリケーションの起動時であることを特徴とする請求項１に記載の携帯型通信装置。
【請求項４】
前記ベースバンドユニットが高負荷状態になるときは、大容量データの伝送時であることを特徴とする請求項１に記載の携帯型通信装置。
【請求項５】
前記制御部は、ベースバンドユニットが定常負荷状態であるとき、各種の駆動制御部材をそれぞれ通常周波数のクロック信号に従った駆動制御を行い、一方、ベースバンドユニットの負荷が高負荷状態になったとき、各種の駆動制御部材の中の一部の駆動制御部材だけを通常周波数より高周波数のクロック信号に従った駆動制御を行うことを特徴とする請求項１乃至４のいずれかに記載の携帯型通信装置。
【請求項６】
前記各種の駆動制御部材の中で通常周波数より高周波数のクロック信号に従った駆動制御を行う一部の駆動制御部材は、メモリであることを特徴とする請求項５に記載の携帯型通信装置。
【発明の詳細な説明】
【技術分野】
【０００１】
本発明は、携帯用電話装置や携帯型データモジュール等の携帯型通信装置に係り、特に、携帯型通信装置が高負荷状態になったとき、制御部の制御に基づいて各種の駆動制御部材を制御駆動するクロック信号周波数を通常周波数よりも高周波数にし、高負荷状態になっている時間を極力短縮させるようにした携帯型通信装置に関する。
【背景技術】
【０００２】
従来、携帯型通信装置は、少なくとも、無線信号を送受信する送受信ユニットと、ベースバンドデータを処理するベースバンドユニットと、メモリ、キーボード、スピーカー等の各種の駆動制御部材とを備えており、ベースバンドユニットに、基準周波数信号に位相同期したクロック信号を発生するＰＬＬと、クロック信号に基づいてメモリ、キーボード、スピーカー等の各種の駆動制御部材を制御駆動する制御部とを有するものが知られている。
【０００３】
ここで、図３は、既知のこの種の携帯型通信装置の構成の一例を示すブロック図である。
【０００４】
図３に示されるように、この携帯型通信装置３０は、送受信ユニット３１と、ベースバンドユニット３２と、スピーカー３３、メモリ３４、キーボード３５等の各種の駆動制御部材とを備えている。また、送受信ユニット３１は、送受信アンテナ３６と、送受信結合部（ＤＵＰ）３７と、信号送信部（ＴＸ）３８と、信号受信部（ＲＸ）３９とを有し、ベースバンドユニット３２は、制御部４０と、外付けされた基準信号発生器４１と、位相比較器４２と、電圧制御型クロック信号発生器４３と、固定分周器４４と、ボイスコーダ４５と、プロセッサ４６と、インターフェイス４７とを有している。この場合、ベースバンドユニット３２において、位相比較器４２とクロック信号発生器４３と固定分周器４４とからなる回路部分は、ＰＬＬ（位相制御ループ）４８を構成し、固定分周器４４はファームウエア回路によって構成されている。
【０００５】
そして、送受信ユニット３１において、送受信結合部３７は、入出力端が送受信アンテナ３６に接続され、入力端が信号送信部３８の出力端に接続され、出力端が信号受信部３９の入力端に接続されている。信号送信部３８は、入力端が送受信ユニット３１の信号入力端（記号なし）に接続され、信号受信部３９は、出力端が送受信ユニット３１の信号出力端（記号なし）に接続されている。また、送受信ユニット３１の信号入力端及び信号出力端は、それぞれ、ベースバンドユニット３２の信号出力端及び信号入力端（ともに記号なし）に接続されている。
【０００６】
また、ベースバンドユニット３２において、信号出力端及び信号入力端がそれぞれ制御部４０に接続されている。制御部４０は、固定分周器４４の制御端に接続されるとともに、ボイスコーダ４５を通してスピーカ３３に接続され、プロセッサ４６を通してメモリ３４に接続され、インターフェイス４７を通してキーボード３５に接続されている。ＰＬＬ４８において、位相比較器４２は、第１入力端が基準信号発生器４１の出力端に接続され、第２入力端が固定分周器４４の出力端に接続され、出力端が電圧制御型クロック信号発生器４３の入力端に接続されている。電圧制御型クロック信号発生器４３は、出力端が制御部４０のクロック供給端と固定分周器４４の入力端とボイスコーダ４５の制御端とプロセッサ４６の制御端とインターフェイス４７の制御端にそれぞれ接続されている。
【０００７】
前記構成を有する既知の携帯型通信装置３０は、概略、次のように動作する。
【０００８】
始めに、信号送信時の動作について述べる。信号送信時に、ベースバンドユニット３２において、制御部４０が送信用ベースバンドデータを形成し、次いで、その送信用ベースバンドデータを送信に適する形式になるようなデータ処理を行い、得られたベースバンド通信データをベースバンドユニット３２から送受信ユニット３１の信号送信部３８に供給する。このとき、送受信ユニット３１において、信号送信部３８がベースバンド通信データを送信に適した周波数で変調して変調信号を形成し、その変調信号を送信に適した信号レベルまで増幅して送信信号を形成し、形成した送信信号を送受信結合部３７を通して送受信アンテナ３６に供給し、送受信アンテナ３６から無線信号として送信する。
【０００９】
次に、信号受信時の動作について述べる。信号受信時に、送受信ユニット３１において、送受信アンテナ３６で無線信号を受信すると、その受信信号が送受信結合部３７を通して信号受信部３９に供給され、信号受信部３９が供給された受信信号を増幅及び復調してベースバンド通信データを再生し、得られたベースバンド通信データを送受信ユニット３１からベースバンドユニット３２の制御部４０に供給する。このとき、ベースバンドユニット３２において、制御部４０がベースバンド通信データを受信に適したデータ処理を行い、得られたベースバンドデータをそのデータが利用される駆動制御機器、例えばボイスコーダ４５を通してスピーカ３３やプロセッサ４６を通してメモリ３４等に伝送供給される。
【００１０】
次いで、ベースバンドユニット３２におけるクロック信号の利用状態について述べる。ＰＬＬ４８は、位相比較器４２と電圧制御型クロック信号発振器４３と固定分周器４４とからなり、電圧制御型クロック信号発振器４３が基準信号発振器４１から供給される基準周波数信号に位相同期したクロック信号を発生する。この場合、電圧制御型クロック信号発振器４３から出力されたクロック信号は、固定分周器４４で決められた分周比で分周されて分周クロック信号に変換され、得られた分周クロック信号と基準信号発振器４１から供給される基準周波数信号とが位相比較器４２に供給されて位相比較され、それらの位相差を示す誤差信号が位相比較器４２から電圧制御型クロック信号発振器４３に供給される。このとき、電圧制御型クロック信号発振器４３は、供給される誤差信号をゼロにするようにその発振周波数が制御され、それにより電圧制御型クロック信号発振器４３から基準周波数信号に位相同期したクロック信号が出力される。
【００１１】
電圧制御型クロック信号発振器４３からから出力されたクロック信号は、制御部４０、ボイスコーダ４５、プロセッサ４６、インターフェイス４７に供給される。制御部４０は、受信信号から得られたベースバンド通信データの音声信号をスピーカー３３で再生する場合、スピーカー３３から音声信号を放声させるためにボイスコーダ４５をクロック信号に従って駆動動作させたり、ベースバンド通信データをメモリ３４に記憶したりメモリ３４から読み出したりする場合、メモリ３４にアクセスするプロセッサ４６をクロック信号に従って駆動動作させたり、キーボード３５の操作により得られた操作コードを制御部４０に供給する場合、インターフェイス４７をクロック信号に従って駆動動作させたりする。
【００１２】
ところで、前記既知の携帯型通信装置３０においては、携帯型通信装置３０の起動時に、固定分周器４４の分周比が予め決められた分周比に設定され、それにより電圧制御型クロック信号発振器４３から出力されるクロック信号の周波数も固定されている。その理由は、クロック信号の周波数を変化させると、クロック信号の周波数の変動に対応して携帯型通信装置３０の動作速度が変動し、外部接続された各種の駆動制御部材との同期が取れなくなり、各種の駆動制御部材へのアクセスができなくなるためである。
【００１３】
前記既知の携帯型通信装置３０のように、クロック信号の周波数を固定すると、各種の駆動制御部材へのアクセスができなくなるという事態を回避することが出きるものの、スピーカー３３を放声させるボイスコーダ４５、メモリ３４にアクセスするプロセッサ４６、キーボード３５と制御部４０とをインターフェイスするインターフェイス４７を常時同じ周波数のクロック信号で駆動制御しているため、ベースバンドユニット３２の負荷が何等かの原因で通常の負荷状態よりもかなり重い高負荷状態になったとき、その高負荷状態が解消されるまで、他のデータ処理を行うことができず、データ処理に長い時間を要することになる。具体的に、ベースバンドユニット３２の負荷が高負荷状態になり、他のデータ処理を行うことができなくなるときは、携帯型通信装置３０に装填したアプリケーションを起動したとき、携帯型通信装置３０の電源を投入したとき、または、大データ，容量のベースバンド通信データを伝送させるとき等であって、このような高負荷状態が長い時間に及べば、ユーザーにとって決して好ましいことではない。
【特許文献１】該当する特許文献なし
【発明の開示】
【発明が解決しようとする課題】
【００１４】
本発明は、このような技術的背景に鑑みてなされたもので、その目的は、ベースバンドユニットが高負荷状態になったときだけクロック信号の周波数を高くして高負荷処理を行い、高負荷状態を迅速に解消できるようにした携帯型通信装置を提供することにある。
【課題を解決するための手段】
【００１５】
前記目的を達成するために、本発明による携帯型通信装置は、無線信号を送受信する送受信ユニットと、ベースバンドデータを処理するベースバンドユニットと、各種の駆動制御部材とからなり、ベースバンドユニットは、クロック信号を発生するＰＬＬと、各種の駆動制御部材をクロック信号に基づいて制御する制御部と、ベースバンドユニットの高負荷状態を検出する負荷検出部と、負荷検出部が高負荷状態を検出したときにトラップ指令を発生するトラップ指令発生部とを備え、ＰＬＬ内にクロック信号を分周して分周クロック信号を形成するファームウエア回路で構成された可変分周器を有し、可変分周器は、ファームウエア回路の切替によって２つの分周比に設定されるもので、負荷検出部が高負荷状態を検出しないとき、制御部の制御信号により定常分周比に設定されてＰＬＬから通常周波数のクロック信号が出力され、一方、負荷検出部が高負荷状態を検出したとき、制御部の制御によりトラップ指令発生部から出力されたトラップ指令によって定常分周比よりも大きい分周比に設定されてＰＬＬから通常周波数より高周波数のクロック信号が出力される手段を具備している。
【００１６】
この場合、前記手段において、ベースバンドユニットが高負荷状態になるときは、携帯型通信装置への電源投入時、ベースバンドユニットに装填したアプリケーションの起動時、大容量データの伝送時のいずれか１つまたはそれ以上のときである。
【００１７】
また、前記手段において、制御部は、ベースバンドユニットの負荷が通常状態にあるとき、各種の駆動制御機器を通常周波数の分周クロック信号に従った駆動制御を行い、一方、ベースバンドユニットの負荷が高負荷状態になったとき、各種の駆動制御機器の中の一部の駆動制御機器、例えばメモリだけを通常周波数より高い周波数の分周クロック信号に従った駆動制御を行っているものである。
【発明の効果】
【００１８】
請求項１乃至４に記載の発明の携帯型通信装置によれば、ＰＬＬ内にファームウエア回路からなり、ファームウエア回路の切替によって定常分周比とそれより大きい分周比の２つの分周比に設定される可変分周器を有し、負荷検出部が高負荷状態を検出しないとき、制御部の制御信号によって可変分周器を定常分周比に設定してＰＬＬから通常周波数のクロック信号を出力するようにし、一方、負荷検出部が高負荷状態を検出したとき、制御部の制御によりトラップ指令発生部から出力されたトラップ指令によって可変分周器を大きい分周比に設定してＰＬＬから通常周波数より高周波数のクロック信号を出力するようにしているので、高負荷状態のときだけ高周波数のクロック信号を用いてデータ処理を行っているので、高負荷状態であってもデータ処理が迅速になり、他のデータ処理の待ち時間を大幅に短縮することができるという効果がある。
【００１９】
また、請求項４及び５に記載の発明の携帯型通信装置によれば、ベースバンドユニットが高負荷状態になったとき、各種の駆動制御機器の中の一部の駆動制御機器、例えばメモリだけを通常周波数より高周波数のクロック信号に従った駆動制御を行い、それ以外の駆動制御機器を通常周波数のクロック信号に従った駆動制御を行っているので、各種の駆動制御部材へのアクセスができなくなるという事態を生じることがないという効果がある。
【発明を実施するための最良の形態】
【００２０】
以下、本発明の実施の形態を図面を参照して説明する。
【００２１】
図１は、本発明による携帯型通信装置の一つの実施の形態を示す回路構成図であって、その要部構成を示すブロック図である。
【００２２】
図１に示されるように、この実施の形態による携帯型通信装置は、送受信ユニット１と、ベースバンドユニット２と、スピーカー３、メモリ４、キーボード５等の各種の駆動制御部材とを備えている。また、送受信ユニット１は、既知のこの種の携帯型通信装置における送受信ユニットと実質的に同じ構成を有するもので、信号入力端１（１）と、信号出力端１（２）と、送受信アンテナ６と、送受信結合部（ＤＵＰ）７と、信号送信部（ＴＸ）８と、信号受信部（ＲＸ）９とを有しており、ベースバンドユニット２は、信号出力端２（１）と、信号入力端２（２）と、制御部１０と、外付けされた基準信号発生器１１と、位相比較器１２と、電圧制御型クロック信号発生器１３と、可変分周器１４と、ボイスコーダ１５と、プロセッサ１６と、インターフェイス１７と、負荷検出部１８と、トラップ指令発生部１９とを有している。この場合、ベースバンドユニット２において、位相比較器１２とクロック信号発生器１３と固定分周器１４とからなる回路部分は、ＰＬＬ（位相制御ループ）２０を構成し、可変分周器１４は、回路構成を変更可能なファームウエア回路によって構成されている。さらに、負荷検出部１８とトラップ指令発生部１９は、実質的に制御部１０に内蔵されている。
【００２３】
そして、送受信ユニット１において、送受信結合部７は、入出力端が送受信アンテナ６に接続され、入力端が信号送信部８の出力端に接続され、出力端が信号受信部９の入力端に接続されている。信号送信部８は、入力端が送受信ユニット１の信号入力端１（１）に接続され、信号受信部９は、出力端が送受信ユニット１の信号出力端１（２）に接続されている。また、送受信ユニット１の信号入力端１（１）及び信号出力端１（２）は、それぞれ、ベースバンドユニット２の信号出力端２（１）及び信号入力端２（２）に接続されている。
【００２４】
また、ベースバンドユニット２において、信号出力端２（１）及び信号入力端２（２）がそれぞれ制御部１０に接続されている。制御部１０は、可変分周器１４の制御端に接続されるとともに、ボイスコーダ１５を通してスピーカ３に接続され、プロセッサ１６を通してメモリ４に接続され、インターフェイス１７を通してキーボード５に接続され、負荷検出部１８とトラップ指令発生部１９にも接続されている。ＰＬＬ２０において、位相比較器１２は、第１入力端が基準信号発生器１１の出力端に接続され、第２入力端が可変分周器１４の出力端に接続され、出力端が電圧制御型クロック信号発生器１３の入力端に接続されている。電圧制御型クロック信号発生器１３は、出力端が制御部１０のクロック供給端と可変分周器１４の入力端とボイスコーダ１５の制御端とプロセッサ１６の制御端とインターフェイス１７の制御端にそれぞれ接続されている。また、トラップ指令発生部１９は、出力端が可変分周器１４の制御端に接続されている。
【００２５】
この場合、ベースバンドユニット２における負荷検出部１８は、制御部１０の制御の基においてベースバンドユニット２の負荷状態を検出するもので、負荷状態が定常負荷以内であるとき、負荷検出部１８から何の検出信号も出力されないが、負荷状態が定常負荷より大きい高負荷状態であるとき、負荷検出部１８から過負荷を表す検出信号を出力する。また、トラップ指令発生部１９は、制御部１０の制御の基において負荷検出部１８から検出信号が出力されないとき、トラップ指令を発生しないが、負荷検出部１８から検出信号が出力されると、トラップ指令を発生し、そのトラップ指令を可変分周器１４に供給する。
【００２６】
可変分周器１４は、制御部１０からの制御信号が供給されるだけで、トラップ指令が供給されないとき、ファームウエア回路の分周比が定常分周比、例えば５／３に設定され、それによりＰＬＬ２０から通常周波数、例えば周波数３０ＭＨｚのクロック信号が出力される。一方で、可変分周器１４は、トラップ指令が供給されたとき、そのトラップ指令によりファームウエア回路の分周比が定常分周比よりも大きい分周比、例えば７／３に設定され、それによりＰＬＬ２０から通常周波数よりも高周波数、例えば周波数５０ＭＨｚのクロック信号が出力される。そして、ＰＬＬ２０から出力されたクロック信号は、制御部１０と、ボイスコーダ１５と、プロセッサ１６と、インターフェイス１７とに供給されるが、クロック信号が通常周波数であるとき、制御部１０の制御に基づいてボイスコーダ１５、プロセッサ１６、インターフェイス１７がそれぞれ通常周波数のクロック信号に従って駆動制御されるが、クロック信号が通常周波数よりも高周波数であるとき、制御部１０の制御に基づいてボイスコーダ１５、プロセッサ１６、インターフェイス１７の中のプロセッサ１６だけが高周波数のクロック信号に従って駆動制御される。
【００２７】
次に、図２は、図１に図示された携帯型通信装置の動作時に、高負荷状態になったときのクロック信号の周波数の変遷状態を示すフローチャートである。
【００２８】
ここで、前記構成を有するこの実施の形態による携帯型通信装置の動作を図１及び図２を用いて説明する。
【００２９】
まず、信号送信時の動作について述べる。信号送信時の動作は、既に述べた既知のこの種の携帯型通信装置における信号送信時の動作と殆ど同じであって、ベースバンドユニット２において、制御部１０が送信用ベースバンドデータを形成し、次いで、その送信用ベースバンドデータを送信に適する形式になるようなデータ処理を行い、得られたベースバンド通信データをベースバンドユニット２から送受信ユニット１の信号送信部８に供給する。このとき、送受信ユニット１において、信号送信部８がベースバンド通信データを送信に適した周波数で変調して変調信号を形成し、その変調信号を送信に適した信号レベルまで増幅して送信信号を形成し、形成した送信信号を送受信結合部７を通して送受信アンテナ６に供給し、送受信アンテナ６から無線信号として送信する。
【００３０】
次いで、信号受信時の動作について述べる。信号受信時の動作も、本質的な点は、既に述べた既知のこの種の携帯型通信装置における信号受信時の動作と同じであって、送受信ユニット１において、送受信アンテナ６で無線信号を受信すると、その受信信号が送受信結合部７を通して信号受信部９に供給され、信号受信部９が供給された受信信号を増幅及び復調してベースバンド通信データを再生し、得られたベースバンド通信データを送受信ユニット１からベースバンドユニット２の制御部１０に供給する。このとき、ベースバンドユニット２において、制御部１０がベースバンド通信データを受信に適したデータ処理を行い、得られたベースバンドデータをそのデータが利用される駆動制御機器、例えばボイスコーダ１５を通してスピーカ３やプロセッサ１６を通してメモリ４等に伝送供給する。
【００３１】
続いて、図２に図示されたフローチャートを用い、ベースバンドユニット２の負荷状態と、その負荷状態に応じて変化するクロック信号の周波数が変動する際の動作経緯について述べる。
【００３２】
始めに、ステップＳ１において、携帯型通信装置に電源が投入されて起動状態になると、制御部１０は、負荷検出部１８が高負荷状態を検出したことに応答して、トラップ指令発生部１９からトラップ指令を発生させ、発生したトラップ指令を可変分周器１４に供給する。このとき、可変分周器１４は、トラップ指令が供給されたのでファームウエア回路を高分周比、例えば７／３になるように回路を切替える。
【００３３】
次に、ステップＳ２において、制御部１０は、ＰＬＬ２０から出力される高周波数、例えば周波数５０ＭＨｚのクロック信号に従った制御駆動によって携帯型通信装置の起動処理を実行する。このときに実行される起動処理には、デバイスの初期化、ポートの設定、メモリチェック等が含まれる。
【００３４】
次に、ステップＳ３において、制御部１０は、携帯型通信装置の起動処理が終了したか否かを判断する。そして、携帯型通信装置の起動処理が終了したと判断した（Ｙ）ときは次のステップＳ４に移行し、一方、起動処理が未だ終了していないと判断した（Ｎ）ときはステップＳ２に戻り、ステップＳ２以降の動作を繰り返し実行する。
【００３５】
次いで、ステップＳ４において、制御部１０は、起動処理が終了したことにより、負荷検出部１８における高負荷状態の検出が停止し、トラップ指令発生部１９からトラップ指令の発生も停止するので、可変分周器１４にトラップ指令が供給されなくなる。このとき、可変分周器１４は、トラップ指令が停止したのでファームウエア回路の分周比を高分周比から定常分周比、例えば５／３になるように回路を切替える。
【００３６】
続く、ステップＳ５において、制御部１０は、ＰＬＬ２０から出力される通常周波数、例えば周波数３０ＭＨｚのクロック信号に従った制御駆動によって携帯型通信装置のデータ処理を実行する。
【００３７】
続いて、ステップＳ６において、制御部１０は、負荷検出部１８において高負荷状態を検出したか否かを判断する。そして、高負荷状態を検出したと判断した（Ｙ）ときは次のステップＳ７に移行し、一方、高負荷状態を検出していない判断した（Ｎ）ときは他のステップＳ８に移行する。
【００３８】
次に、ステップＳ７において、制御部１０は、負荷検出部１８が高負荷状態を検出したことに応答して、トラップ指令発生部１９からトラップ指令を発生させ、発生したトラップ指令を可変分周器１４に供給する。このとき、可変分周器１４は、トラップ指令が供給されたのでファームウエア回路を定常分周比から高分周比、例えば７／３になるように回路を切替える。
【００３９】
一方、ステップＳ８において、制御部１０は、ＰＬＬ２０から出力される通常周波数、例えば周波数３０ＭＨｚのクロック信号に従った制御駆動によって携帯型通信装置のデータ処理を実行する。負荷検出部１８が高負荷状態を検出しないので、可変分周器１４から出力される通常周波数、例えば周波数３０ＭＨｚのクロック信号に従った制御駆動によって携帯型通信装置のデータ処理を実行する。
【００４０】
次いで、ステップＳ９において、制御部１０は、ＰＬＬ２０から出力される高周波数、例えば周波数５０ＭＨｚのクロック信号に従った制御駆動によって携帯型通信装置のデータ処理を実行する。
【００４１】
続く、ステップＳ１０において、制御部１０は、負荷検出部１８において高負荷状態の検出を解消したか否かを判断する。そして、高負荷状態の検出を解消したと判断した（Ｙ）ときは次のステップＳ１１に移行し、一方、高負荷状態の検出を未だ解消していない判断した（Ｎ）ときは前のステップＳ９に戻り、ステップＳ９以降の動作を繰り返し実行する。
【００４２】
続いて、ステップＳ１１において、制御部１０は、負荷検出部１８が高負荷状態を解消したことに応答して、トラップ指令発生部１９からのトラップ指令の発生を停止させ、可変分周器１４に供給していたトラップ指令を停止させる。このとき、可変分周器１４は、トラップ指令が停止されたのでファームウエア回路を高分周比から定常分周比、例えば５／３になるように回路を切替える。
【００４３】
次に、ステップＳ１２において、制御部１０は、ＰＬＬ２０から出力される通常周波数、例えば周波数３０ＭＨｚのクロック信号に従った制御駆動によって携帯型通信装置のデータ処理を実行する。
【００４４】
次いで、ステップＳ１３において、制御部１０は、今回、携帯型通信装置で取り扱うデータ処理が終了したか否かを判断する。そして、データ処理が終了したと判断した（Ｙ）ときはこの一連のデータ処理を終了させ、一方、未だ、データ処理が終了していないと判断した（Ｎ）ときは前のステップＳ６に戻り、ステップＳ６以降の動作を繰り返し実行する。
【００４５】
なお、前記実施の形態による携帯型通信装置においては、ファームウエア回路の分周比を、定常分周比のときに５／３、高分周比のときに７／３にそれぞれ設定し、クロック周波数を、通常周波数として３０ＭＨｚ、高周波数として５０ＭＨｚである例を挙げて説明したが、本発明に用いられるこれらの分周比及びクロック周波数はいずれも限定的なものでなく、それらに近い比率やそれらに近い周波数であれば、他の比率や周波数であってもよいことは勿論である。
【図面の簡単な説明】
【００４６】
【図１】本発明による携帯型通信装置の一つの実施の形態を示す回路構成図であって、その要部構成を示すブロック図である。
【図２】図１に図示された携帯型通信装置の動作時に、高負荷状態になったときのクロック信号の周波数の変遷状態を示すフローチャートである。
【図３】既知のこの種の携帯型通信装置の構成の一例を示すブロック図である。
【符号の説明】
【００４７】
１  送受信ユニット
２  ベースバンドユニット
３  スピーカー
４  メモリ
５  キーボード
６  送受信アンテナ
７  送受信結合部（ＤＵＰ）
８  信号送信部（ＴＸ）
９  信号受信部（ＲＸ）
１０  制御部
１１  基準信号発生器
１２  位相比較器
１３  電圧制御型クロック信号発生器
１４  可変分周器
１５  ボイスコーダ
１６  プロセッサ
１７  インターフェイス
１８  負荷検出部
１９  トラップ指令発生部
２０  ＰＬＬ（位相制御ループ）
【図１】
2005184648.tif 000003
【図２】
2005184648.tif 000004
【図３】
2005184648.tif 000005